(57)【要約】【課題】照明が消えた後においても、機器の電源スイッチの位置がわかるように表示する電源スイッチの表示構造を得る。【解決手段】複写機１０は、筐体１２を含む。筐体１２の両側面には、給紙トレイ１４および排紙トレイ１６が形成され、上面にはカバー部材１８が形成される。筐体１２の側面に電源スイッチ２０が形成される。筐体１２の正面には、電源スイッチ２０に向かう矢印形状の標識２４が形成される。また、操作スイッチ２２が形成された筐体１２の傾斜部１２ａから側面に向かって、矢印形状の標識２６が形成される。これらの標識２４，２６は、蓄光性材料などの発光体で形成される。【選択図】図１
2008059769.tif 000002
【特許請求の範囲】
【請求項１】
機器の筐体と、前記筐体に配設される電源スイッチとを含み、前記電源スイッチの近傍において、前記電源スイッチの位置を案内する標識が発光体によって前記筐体に形成された、電源スイッチの表示構造。
【請求項２】
前記発光体は蓄光性材料からなる、請求項１に記載の電源スイッチの表示構造。
【請求項３】
前記蓄光性材料は、透明または前記筐体と同色であり、周囲が明るいときには前記標識が視認できないが、周囲が暗くなったときに前記蓄光性材料が発光して前記標識が視認可能となる、請求項２に記載の電源スイッチの表示構造。
【請求項４】
前記発光体はＬＥＤからなる、請求項１に記載の電源スイッチの表示構造。
【請求項５】
前記標識は、前記電源スイッチのある方向を示す記号、近傍に電源スイッチがあることを示す文字、または前記記号と前記文字の組み合わせである、請求項１ないし請求項４のいずれかに記載の電源スイッチの表示構造。
【請求項６】
前記記号の中に前記文字または別の前記記号が形成され、外側の前記記号と内側の前記文字または内側の前記記号とが異なる色に発光するように形成された、請求項５に記載の電源スイッチの表示構造。
【請求項７】
前記記号の中に前記文字または別の前記記号が形成され、外側の前記記号は蓄光性材料で形成されるとともに、内側の前記文字または内側の前記記号は蓄光性材料を使用しない中抜き状に形成される、請求項５に記載の電源スイッチの表示構造。
【請求項８】
前記標識は、前記筐体の複数個所に形成される、請求項１ないし請求項７のいずれかに記載の電源スイッチの表示構造。
【発明の詳細な説明】
【技術分野】
【０００１】
この発明は、電源スイッチの表示構造に関し、特にたとえば、複写機などの電源スイッチの位置を示す電源スイッチの表示構造に関する。
【背景技術】
【０００２】
オフィス照明などにおいて、節電のために、最終退室者が事務所から退室したとき、照明の主電源を切って事務所内の全照明を消灯するように制御している場合がある。このような場合、事務所内の複写機などの電源スイッチが入っていることに気がついても、照明の主電源を入れるには時間がかかる。そうかといって、暗闇の中で複写機の電源スイッチを探すのは困難である。また、次の日まで複写機の電源スイッチを入れたままにしておくと、待機電力などにより、無駄な経費がかかる。さらに、誰もいない事務所内において、複写機の故障などによって過熱すると、火事の恐れもある。
【０００３】
なお、複写機の給紙カセットの側板を透明な材料で形成し、給紙カセット内部のリフト板に蛍光塗料を塗布した複写機が開示されている（特許文献１参照）。このような複写機の場合、薄暗い場所でも、リフト板が光って、複写機の位置を把握することができる。
また、携帯電話等の携帯端末装置において、蓄光性蛍光体を分散させた樹脂でキーボタンを形成し、キーボタンを表示するための光源が消灯した後においても、キーボタンを視認できるようにしたものがある（特許文献２参照）。
【０００４】
【特許文献１】特開２００６−７６７２８号公報
【特許文献２】特開２００４−１２７０９１号公報
【発明の開示】
【発明が解決しようとする課題】
【０００５】
しかしながら、一般的に、蛍光塗料の残光時間はきわめて短く、全く照明のない場所では、複写機の位置を探すのは困難である。また、蛍光塗料の光によって複写機の位置がわかったとしても、電源スイッチの位置がわからず、手探りで電源スイッチを探さなければならない。また、携帯端末装置のキーボタンのように、電源スイッチ自体に蓄光蛍光体を分散させて発光させることが考えられるが、電源スイッチが筐体の表面から内側に入り込んだ凹部に形成されている場合、電源スイッチを見つけにくい。
【０００６】
それゆえに、この発明の主たる目的は、照明が消えた後においても、機器の電源スイッチの位置がわかるように表示する電源スイッチの表示構造を提供することである。
【課題を解決するための手段】
【０００７】
この発明は、機器の筐体と、筐体に配設される電源スイッチとを含み、電源スイッチの近傍において、電源スイッチの位置を案内する標識が発光体によって筐体に形成された、電源スイッチの表示構造である。
機器の電源スイッチの近傍に発光体によって標識を形成することにより、照明が消えた後においても、電源スイッチの位置を探すことが容易となる。
【０００８】
このような電源スイッチの表示構造において、発光体として蓄光性材料を用いることができる。
ここで、蓄光性材料としては、蓄光性蛍光体または燐光体と呼ばれるものが該当し、照明が消えた後においても、発光を持続する材料のことである。標識を形成するための発光体として蓄光性材料を用いることにより、照明が消えた後においても、長時間発光を持続するため、余裕をもって機器の電源スイッチを探すことができる。
【０００９】
蓄光性材料を用いて標識を形成する場合、蓄光性材料として透明または筐体と同色のものを使用し、周囲が明るいときには標識が視認できないが、周囲が暗くなったときに蓄光性材料が発光して標識が視認可能となるようにすることができる。
蓄光性材料を透明または筐体と同色とすることにより、周囲が明るいときには、標識が視認できず、何も表示されていない機器であるように見せることができる。そのため、標識を気にすることなく、機器のデザインを考えることができる。周囲が暗くなると、蓄光性材料が発光して、標識が視認できるようになり、標識にしたがって機器の電源スイッチを探すことができる。
また、標識を形成するための発光体として、蓄光性材料だけでなく、ＬＥＤなどを用いることができる。
【００１０】
また、標識は、電源スイッチのある方向を示す記号、近傍に電源スイッチがあることを示す文字、または記号と文字の組み合わせで形成することができる。
ここで、記号の中に文字または別の記号が形成され、外側の記号と内側の文字または内側の記号とが異なる色に発光するように形成してもよい。
また、記号の中に文字または別の記号が形成され、外側の記号は蓄光性材料で形成されるとともに、内側の文字または内側の記号は蓄光性材料を使用しない中抜き状に形成されてもよい。
このように、標識としては、たとえば電源スイッチのある方向を指し示す矢印のような記号としたり、電源スイッチが近傍にあることを示す文字とすることができ、さらに記号と文字との組み合わせとしてもよい。
記号と文字との組み合わせによって標識を構成する場合、記号の中に文字や別の記号を形成することができ、外側の記号と内側の文字または内側の記号の発光色を変えたり、内側の文字や内側の記号を中抜き状に表示することもできる。
【００１１】
ここで、標識は、筐体の複数個所に形成されることが好ましい。
筐体の複数個所に標識を形成すれば、複数の方向から標識を視認することができ、暗中において電源スイッチを探すことが容易となる。
【発明の効果】
【００１２】
この発明によれば、部屋の照明が消えた後においても、容易に機器の電源スイッチを探すことができ、電源スイッチを操作することができる。そのため、消灯後に機器の電源スイッチを切ることができ、節電効果や防災効果を得ることができる。特に、照明制御システムなどにより、消灯後に照明を再点灯させることが困難な場合には便利である。
【００１３】
この発明の上述の目的，その他の目的，特徴および利点は、図面を参照して行う以下の発明を実施するための最良の形態の説明から一層明らかとなろう。
【発明を実施するための最良の形態】
【００１４】
図１は、この発明の電源スイッチの表示構造を用いた複写機の例を示す斜視図である。複写機１０は、筐体１２を含む。筐体１２内には、画像読み取り部、給紙部、画像形成部、定着部などが内蔵されている。筐体１２の一方側面において、給紙部に用紙を供給するための給紙トレイ１４が挿入される。また、筐体１２の他方側面には、複写された用紙を蓄積するための排紙トレイ１６が形成される。さらに、筐体１２の上面には、画像読み取り部で読み取られる原稿を覆うカバー部材１８が形成される。
【００１５】
さらに、筐体１２の給紙トレイ１４が形成された側面には、電源スイッチ２０が形成される。電源スイッチ２０は、複写機１０の電源をＯＮ−ＯＦＦするためのスイッチである。さらに、カバー部材１８に隣接するようにして、筐体の上面には、操作スイッチ２２が配設される。操作スイッチ２２は、複写開始スイッチや複写枚数の設定スイッチなどの操作をするための複数のスイッチを含む。この操作スイッチ２２は、操作しやすいように、たとえば筐体１２の傾斜部１２ａに形成される。
【００１６】
この複写器１０で原稿を複写する場合、カバー部材１８を開いて置かれた原稿が画像読み取り部で読み取られ、画像形成部で読み取られた画像が静電潜像として形成される。この静電潜像にトナーが供給され、トナー画像が形成される。また、給紙トレイ１４の用紙が給紙部によって画像形成部に送られ、この用紙にトナー画像が転写される。トナー画像が転写された用紙は定着部に送られ、ここでトナー画像が定着されて、排紙トレイ１６に排出される。
【００１７】
このような複写機１０において、筐体１２には、電源スイッチ２０の位置を表示する標識２４，２６が形成される。一方の標識２４は、筐体１２の正面において、電源スイッチ２０に向かう矢印として形成される。また、他方の標識２６は、操作スイッチ２２が形成された傾斜部１２ａから電源スイッチ２０が形成された側面に向かう矢印として形成される。これらの標識２４，２６は、蓄光性材料などの発光体で形成される。蓄光性材料としては、蓄光性蛍光体または燐光体と呼ばれるものが該当し、照明が消えた後においても、発光を持続する材料のことである。このような蓄光性材料としては、長残光性のものが好ましく、たとえば根本特殊化学株式会社製のルミノーバＲ（商品名）などが用いられる。その他の発光体としては、たとえば蓄光性を有するインク、塗料、シール、樹脂材料などが用いられる。また、標識２４，２６を形成するための発光体として、ＬＥＤなどを用いてもよい。
【００１８】
この複写器１０では、発光体で形成された標識２４，２６によって電源スイッチ２０の位置が表示されているため、部屋の照明を消した後においても、電源スイッチ２０の位置を把握することができる。そのため、消灯後に複写機１０の電源スイッチ２０の切り忘れに気づいたとき、改めて照明を点灯させることなく、電源スイッチ２０を切ることができる。たとえば、最終退室者が退室したときに、部屋の全照明の電源が切れるような制御をしている場合でも、再度照明の電源を入れることなく、複写機１０の電源スイッチ２０を切ることができる。
【００１９】
このように、消灯された部屋において、複写機１０の電源スイッチ２０を切ることができるため、夜間における待機電力をなくすことができ、省力化を図ることができる。また、夜間の無人の部屋において、複写機１０の故障などによる火災や漏電などを防止することができる。標識２４，２６がＬＥＤで形成されている場合、電源スイッチ２０を切ることによって、標識２４，２６の発光が止まり、電源スイッチ２０のＯＮ−ＯＦＦ状態を確認することができる。
【００２０】
また、蓄光性材料で標識２４，２６を形成する際に、透明な蓄光性材料を用いたり、複写機１０の筐体１２と同色の蓄光性材料を用いることができる。この場合、周囲が明るいときには、標識２４，２６は視認できず、複写機１０のデザインを損なうことがないため、複写機１０のデザインを自由に考えることができる。また、周囲が暗くなったときには、蓄光性材料が発光し、標識２４，２６が視認できるようになるため、消灯後の電源スイッチ２０の切り忘れに対応して、電源スイッチ２０の操作をすることができる。
【００２１】
なお、電源スイッチの表示を行うための標識２４，２６としては、矢印だけに限らず、電源を示す記号や、「電源」の文字などによる表示が使用されてもよい。また、記号と文字の組み合わせにより、標識２４，２６が形成されてもよい。たとえば、矢印の後部に、蓄光性材料により、電源を示す記号や「電源」という文字を形成してもよい。また、矢印の中に、電源を示す記号や「電源」という文字を入れ、外側の矢印と内側の文字や内側の記号とが異なる色で発光するようにしてもよい。さらに、蓄光性材料で形成された矢印の中に、これらの蓄光性材料を塗布しない部分を形成し、電源を示す記号や「電源」という文字の形状に中抜き状に形成してもよい。このように、標識２４，２６としては、記号、文字およびこれらの組み合わせにより形成することができる。また、標識の数は、１つだけ形成されてもよいし、３つ以上形成されてもよい。機器の複数の面に標識を形成すれば、複数の方向から標識を視認することができ、暗中において電源スイッチを探すことが容易となる。
【図面の簡単な説明】
【００２２】
【図１】この発明の電源スイッチの表示構造が採用された複写機の一例を示す図解図である。
【符号の説明】
【００２３】
１０  複写機
１２  筐体
１４  給紙トレイ
１６  排紙トレイ
１８  カバー部材
２０  電源スイッチ
２２  操作スイッチ
２４，２６  標識
【図１】
2008059769.tif 000003